(57)【要約】【課題】布地から脱落しにくく、人体に刺さる危険の少ない待ち針を提供する。【解決手段】同一平面上にある曲線を中心線とする線状部材の、一方の端部を尖鋭な針先とした待ち針を形成する。前記曲線の形状は、閉曲線の一部区間が切り取られたものであり、この一部区間は、前記閉曲線内で、曲率がゼロに近い点から成る区間、すなわち、急カーブではない区間であることが望ましい。布地に針が刺しやすいように、針先と他方の端部との間の距離、つまり、前記の一部区間の直線距離は、概１ｃｍであることが適当である。前記の閉曲線の形状としては、三角形あるいは円などが考えられるが、他の形状でもかまわない。他方の端部は、輪状に曲げてストッパーを形成してもよい。【選択図】図５
0003138722.tif 000002
【実用新案登録請求の範囲】
【請求項１】
同一平面上にある曲線を中心線とする線状部材の、一方の端部を尖鋭な針先とした待ち針であって、
前記曲線の形状は、閉曲線の一部区間が切り取られたものであり、
この一部区間は、前記閉曲線内で、曲率がゼロに近い点から成る区間であることを特徴とする待ち針。
【請求項２】
前記の一部区間の直線距離は、概１ｃｍであることを特徴とする請求項１に記載の待ち針。
【請求項３】
前記の閉曲線は三角形状であることを特徴とする請求項１〜２のいずれか１に記載の待ち針。
【請求項４】
前記の閉曲線は円形状であることを特徴とする請求項１〜２のいずれか１に記載の待ち針。
【請求項５】
前記線状部材の他方の端部を輪状に曲げて、ストッパーを形成したことを特徴とする請求項１〜４のいずれか１に記載の待ち針。
【考案の詳細な説明】
【技術分野】
【０００１】
衣服の寸法直しや、裁縫をするときの仮止めなどで使用する待ち針であって、布地から脱落しにくく、人体に刺さる危険の少ない、曲線状の待ち針に関する。
【背景技術】
【０００２】
従来の待ち針は、針先が常時むき出しであるため、布地に印を付けたり、手縫いをしたりする際、あるいは、作業を中断するために、待ち針を刺した状態で布地を畳んだりする際、指先などに刺さる危険があった。そのうえ、折れて人体の内部に食い込んでいくというような重大な事態も考えられた。
この問題点を解決するために、針先を収めるキャップを設け、このキャップと頭部とをアームでつないだ待ち針が、特許文献１および特許文献２において提案されている。
また、特許文献３には、先端に指先などが当たっても、ワイヤーが曲がって衝撃を吸収することにより刺さる危険性が低下したワイヤー待ち針に関する発明が開示されている。
さらに、待ち針の代わりに、安全ピンを使用することは、通常行われているところである。
【０００３】
【特許文献１】特開平１０−２０４７１４号公報
【特許文献２】特開平１１−６１５３９号公報
【特許文献３】特開２００２−１２９４２２号公報
【考案の開示】
【考案が解決しようとする課題】
【０００４】
しかしながら、特許文献１および２に開示されているキャップ付きの待ち針は、通常金属製である針本体とは別の材質である合成樹脂などでキャップおよびアームを形成していて、その分、費用も工数も余分に必要となる。また、頻繁に使用すると、アームが破損しやすくなる。
一方、特許文献３のワイヤー待ち針は、その尖状の先端が指先などに当たる危険がある点で、従来の待ち針と変わるところはない。
また、安全ピンを待ち針の代わりに用いるならば、ピンの先で皮膚が傷つくおそれはないが、布地が波打ったり、安全ピンを付けたままでは、アイロンをかけにくかったりする。
【０００５】
本考案は、このような問題点に鑑み、簡易な構成により製造コストを安価にでき、かつ、布地から脱落しにくく、指先などの皮膚を傷付けるおそれの少ない待ち針を提供することを目的とする。
【課題を解決するための手段】
【０００６】
前記の目的を達成するために、本考案の待ち針は、同一平面上にある曲線を中心線とする線状部材の、一方の端部を尖鋭な針先とした待ち針であって、前記曲線の形状は、閉曲線の一部区間が切り取られたものであり、この一部区間は、前記閉曲線内で、曲率がゼロに近い点から成る区間であることを特徴とする。
「曲率がゼロに近い点から成る区間」とは、急カーブではない区間という意味であり、代表的なのは直線区間である。
図１の左側の閉曲線から、曲率がゼロに近い点から成る区間を除去すると、右側の曲線のようになる。本考案の待ち針は、主として金属製の線状部材を、右側の曲線のような形状に折り曲げて作られる。
【０００７】
図２には、閉曲線が楕円の場合、左側に示す楕円から区間ＡＢ、区間ＣＤ，区間ＤＥを切り取った曲線の形状に折り曲げた待ち針１〜３の模式図を示している。図中、白抜き三角で針先を示しているが、待ち針３のように緩やかなカーブの区間を切り取った形状にした場合が最も安全である。待ち針１および待ち針２では、曲率の最も大きい点Ｃを含む急カーブな区間を切り取った形状をしているので、針先が指などの皮膚を傷つけるおそれがある。したがって、本考案の待ち針は、直線状の部分などの曲率が小さい点からなる部分に針先を設けることとした。
【０００８】
従来の真っ直ぐな待ち針と異なり、針先を最も安全と考えられる位置に設けることができるので、指先などに刺さる危険性が低くなる。
曲線状なので、故意に引っ張らないかぎり、布から脱落するおそれは少ない。したがって、針先とは反対側の端部にストッパーを特に設けなくても差し支えない。
同一平面上にあるので、本考案の待ち針を刺したまま、アイロンをかけることができる。
【０００９】
前記の一部区間は、直線距離が、概１ｃｍであることが望ましい。つまり、針先と他端とが、概ね１ｃｍ離れていることが望ましいのは、布地への突き刺しやすさと、安全性（脱落しない、皮膚に刺さらない）との兼ね合いから、適当な長さと考えられるからである。
【００１０】
前記の閉曲線の形状は、特に限定するものではないが、例えば、三角形状あるいは円形状としてもよい。
単純な形状なので、加工が容易であるし、布地に突き刺すにも便利である。
【００１１】
前記線状部材の他方の端部を、輪状に曲げてストッパーを形成してもよい。
他端部が布地を通過することを確実に防止できるだけでなく、このストッパーを掴むと、布地に突き刺したり、布地から引き抜いたりしやすいからである。
【考案の効果】
【００１２】
従来の真っ直ぐな待ち針に比べて、布地から脱落しにくい。
寸法直しや印付けなどの作業を中断する際、待ち針をつけたまま布を畳み、作業を再開するときに布を拡げる。この場合、真っ直ぐな待ち針であれば、針先が誤って刺さったりすることが多かった。本考案の待ち針であれば、そのような危険性が低く、刺さったとしても、深くまで刺さらない。
製法の点では、一方の端が尖った線材を屈曲させるだけでよく、材料の面でも手間の面でも経済的である。
【考案を実施するための最良の形態】
【００１３】
（第１の実施の形態）
図３に示す待ち針４は、三角形から一部区間を切り取った形状の曲線になるように、縫い針程度の太さを持つ線状部材を折り曲げたものである。線状部材としては、さびにくく、曲げやすく、しかも折れにくいステンレスのような金属を用いるのが適当である。
一方の端部に形成された針先５と、他方の端部６との間の距離Ｄは、容易に布地に突き刺せるが、人の指７が入らない程度の長さとし、１ｃｍ程度が適当である。例えば、１辺が３ｃｍの正三角形状の待ち針であれば、針先５と他端部６とが約１ｃｍ離れているとき、針先５側の直線部分が約２ｃｍある。この２ｃｍの部分で布地を突き刺すことができる。
待ち針４は、図４の（ａ）のように布地８に刺して使用するのが普通であるが、（ｂ）のような使い方をすると、布地８から脱落するおそれがなく一層安全である。なお、図中、待ち針が布地８の裏側にある部分は鎖線で表している。
また、待ち針４を刺した状態で布地を畳む場合、どのような畳み方をしても安全である。この点で、従来の待ち針と大きく相違する。例えば、布地８を一点鎖線で表したＬ１で畳んだ場合、（ｃ）のように、従来の待ち針９を使用すると、針先が人体に刺さるおそれがあるが、（ａ）あるいは（ｂ）のように本考案の待ち針４を使用すると、安全である。
【００１４】
図４に示すような従来の待ち針９であれば、終端部が布地を通過することのないようにストッパー１０を設ける必要がある。これに対し、本考案の待ち針は、形状が曲線であることからストッパーはなくてもよい。むしろ、玉状などのストッパーがあると、待ち針を刺した箇所で布地が波を打ち、本縫いがしづらかったり、アイロンをかけにくかったりする。
ただし、ストッパーを設けず、終端部６が線状のままであれば、終端の断面積が非常に小さい。針先のように尖っていないとはいえ、面積が小さいと、掴みにくく、指先にあたったときの感触も悪いので、図５に示す待ち針１１のようにストッパー１２（斜線を付した部分）を形成するとよい。このストッパー１２は、線状部材の終端部６側を曲げて小さな輪にしたものである。針先５から、この小さな輪の部分までの線状部材の中心線がつくる曲線が同一平面上にあるならば、待ち針１１は布地に密着し、布地が波打つことを小さくすることができる。
【００１５】
（第２の実施の形態）
図６に示す待ち針１３は、線状部材を円弧状に湾曲させたものである。
例えば、直径が２ｃｍの円弧状の待ち針であれば、針先１４と終端部１５とが約１ｃｍ離れているときの中心角は約３００度である。１ｃｍ程度の隙間があれば、布地に針先を突き刺すことは容易である。また、針先から他方の端部までが、約５ｃｍの円弧なので、故意に引っ張らない限り、布地から脱落するおそれもない。
図７は、布地１６に待ち針１３を刺した状態を示すが、布地１６を直線Ｌ２で折りたたんでも、直線Ｌ３で折りたたんでも、針先１４で皮膚を傷つけるおそれが少ない。
なお、図８の待ち針１７ａ、１７ｂのように、他方の端部を小さい輪状に曲げてストッパー１８ａ、１８ｂとしてもよい。
【００１６】
以上の実施形態の待ち針は、三角形状および円弧状であったが、形状はこれに限るものではない。例えば、楕円状、矩形状、あるいは動物の顔をデフォルメした形状でもよい。
また、待ち針のサイズや太さは、使用対象の布地の性質に応じて、適宜変更すればよいことは言うまでもない。
さらに、ストッパーとして、合成樹脂などの別の材質を用いて、玉状や平盤状としてもかまわない。
要するに、前記の実施形態の説明は例示にすぎず、実用新案登録請求の範囲内において、種々の変形が可能である。
【産業上の利用可能性】
【００１７】
安全な待ち針であるため、手芸や裁縫用品として小中学校などの教育現場を中心とした需要が見込まれる。
【図面の簡単な説明】
【００１８】
【図１】本考案の概要を説明する図である。
【図２】本考案の概要を説明する図である。
【図３】第１の実施形態の待ち針を示す図である。
【図４】第１の実施形態の待ち針の使用状態を示す図である。
【図５】ストッパーを備えた、第１の実施形態の待ち針を示す図である。
【図６】第２の実施形態の待ち針を示す図である。
【図７】第２の実施形態の待ち針の使用状態を示す図である。
【図８】ストッパーを備えた、第２の実施形態の待ち針を示す図である。
【符号の説明】
【００１９】
４  待ち針
５  （待ち針４の）針先
６  （待ち針４の）終端部
１１  待ち針
１２  （待ち針１１の）ストッパー
１３  待ち針
１４  （待ち針１３の）針先
１５  （待ち針１３の）終端部
１７ａ、１７ｂ  待ち針
１８ａ、１８ｂ  （待ち針１７ａ、１７ｂの）ストッパー
【図１】
0003138722.tif 000003
【図２】
0003138722.tif 000004
【図３】
0003138722.tif 000005
【図４】
0003138722.tif 000006
【図５】
0003138722.tif 000007
【図６】
0003138722.tif 000008
【図７】
0003138722.tif 000009
【図８】
0003138722.tif 000010